(57)【要約】      （修正有）【課題】走行速度の表示画像領域がその下方の地図要素を遮蔽しないナビゲーションにおける自車マークの表示方法、表示装置、機器及び媒体を提供する。【解決手段】ナビゲーションにおける自車マークの表示方法は、少なくとも測位システムのオン／オフ状態と、走行速度と、走行位置とを含むナビゲーション端末の現在の情報を取得するステップと、測位システムのオン／オフ状態がオンである場合、走行速度付きの自車マークを描画し、自車マークを走行位置に表示し、走行速度を自車マークに描画するステップとを含む。同じ数の情報を表示すると同時に、情報によって占有された表示画像領域の範囲を少なくする。【選択図】図５
2019152644.tif 000002
【特許請求の範囲】
【請求項１】
少なくとも測位システムのオン／オフ状態と、走行速度と、走行位置とを含むナビゲーション端末の現在の情報を取得するステップと、
前記測位システムのオン／オフ状態がオンである場合、前記走行速度付きの自車マークを描画し、該自車マークを前記走行位置に表示し、前記走行速度が前記自車マークに描画されるステップとを含むナビゲーションにおける自車マークの表示方法。
【請求項２】
前記測位システムのオン／オフ状態がオンである場合、前記走行速度付きの前記自車マークを描画し、該自車マークを前記走行位置に表示し、前記走行速度が前記自車マークに描画されるステップは、
前記走行速度に基づいて、前記自車マークの表示形態を決定するステップと、
前記表示形態に基づいて、前記走行速度付きの前記自車マークを描画し、該自車マークを前記走行位置に表示し、前記走行速度が前記自車マークに描画されるステップとを含む請求項１に記載のナビゲーションにおける自車マークの表示方法。
【請求項３】
前記走行速度に基づいて、前記自車マークの前記表示形態を決定するステップは、
前記走行速度が設定された速度閾値よりも大きい場合、前記自車マークの前記表示形態が速度超過走行状態であると決定するステップと、
前記走行速度が設定された前記速度閾値以下である場合、前記自車マークの前記表示形態が正常なナビゲーション状態であると決定するステップとを含む請求項２に記載のナビゲーションにおける自車マークの表示方法。
【請求項４】
前記表示形態に基づいて、前記走行速度付きの前記自車マークを描画し、該自車マークを前記走行位置に表示し、前記走行速度が前記自車マークに描画されるステップは、
前記表示形態が前記速度超過走行状態である場合、該速度超過走行状態に基づいて、前記走行速度付きの前記自車マークを描画し、前記走行速度が前記自車マークに描画されるステップと、
前記自車マークを、設定されたアニメーションで前記走行位置に表示するステップとを含む請求項３に記載のナビゲーションにおける自車マークの表示方法。
【請求項５】
少なくとも前記測位システムのオン／オフ状態と、前記走行速度と、前記走行位置とを含む前記ナビゲーション端末の現在の情報を取得するステップの後に、
前記測位システムのオン／オフ状態がオフである場合、前記自車マークの表示形態が前記測位システム無し状態であると決定するステップと、
前記測位システム無し状態に基づいて、前記自車マークを描画し、該自車マークを前記走行位置に表示するステップとを含む請求項１に記載のナビゲーションにおける自車マークの表示方法。
【請求項６】
少なくとも測位システムのオン／オフ状態と、走行速度と、走行位置とを含むナビゲーション端末の現在の情報を取得する取得モジュールと、
前記測位システムのオン／オフ状態がオンである場合、前記走行速度付きの自車マークを描画し、該自車マークを前記走行位置に表示し、前記走行速度が前記自車マークに描画される表示モジュールとを備えるナビゲーションにおける自車マークの表示装置。
【請求項７】
前記表示モジュールは、
前記走行速度に基づいて、前記自車マークの表示形態を決定する表示決定ユニットと、
前記表示形態に基づいて、前記走行速度付きの前記自車マークを描画し、該自車マークを前記走行位置に表示し、前記走行速度が前記自車マークに描画される表示ユニットとを備える請求項６に記載のナビゲーションにおける自車マークの表示装置。
【請求項８】
少なくとも前記測位システムのオン／オフ状態と、前記走行速度と、前記走行位置とを含む前記ナビゲーション端末の現在の情報を取得した後、前記測位システムのオン／オフ状態がオフである場合、前記自車マークの前記表示形態が測位システム無し状態であると決定する測位システム無し決定モジュールと、
前記測位システム無し状態に基づいて、前記自車マークを描画し、該自車マークを前記走行位置に表示する測位システム無し表示モジュールとを備える請求項７に記載のナビゲーションにおける自車マークの表示装置。
【請求項９】
少なくとも一のプロセッサと、
少なくとも一のプログラムを記憶する記憶装置とを備え、
少なくとも一つの前記プログラムが少なくとも一つの前記プロセッサにより実行される場合に、少なくとも一つの前記プロセッサが、請求項１から請求項５のいずれかに記載のナビゲーションにおける自車マークの表示方法を実行する端末。
【請求項１０】
プログラムがプロセッサにより実行される場合に、請求項１から請求項５のいずれかに記載のナビゲーションにおける自車マークの表示方法を実行するコンピュータ読み取り可能な記憶媒体。
【発明の詳細な説明】
【技術分野】
【０００１】
本発明は、ナビゲーション分野に関し、特にナビゲーションにおける自車マークの表示方法、表示装置、機器及び媒体に関する。
【背景技術】
【０００２】
近年、ナビゲーション端末でルートナビゲーションを行うことは、車両所有者の外出においてますます重要になってきている。ユーザーが現在の車両走行状態を把握しやすいように、ナビゲーション端末は、ナビゲーション中にユーザーに多くの走行状態情報を提供する。
【０００３】
通常業界内の方法では、図１に示されるように、車を運転して計画されたナビゲーション経路に沿って走行する場合、走行速度の表示画像領域がその下方の地図要素を遮蔽しがちである。
【発明の概要】
【発明が解決しようとする課題】
【０００４】
本発明は、ナビゲーションにおける自車マークの表示方法、表示装置、機器及び媒体を提供し、同じ数の情報を表示すると同時に、情報によって占有された表示画像領域の範囲を少なくすることを実現するとともに、走行速度の表示画像領域がその下方の地図要素を遮蔽しがちという課題を解決する。
【課題を解決するための手段】
【０００５】
本発明の第１の態様として、ナビゲーションにおける自車マークの表示方法を提供する。ナビゲーションにおける自車マークの表示方法は、少なくとも測位システムのオン／オフ状態と、走行速度と、走行位置とを含むナビゲーション端末の現在の情報を取得するステップと、前記測位システムのオン／オフ状態がオンである場合、前記走行速度付きの自車マークを描画し、該自車マークを前記走行位置に表示し、前記走行速度が前記自車マークに描画されるステップとを含む。
【０００６】
本発明の第２の態様として、ナビゲーションにおける自車マークの表示装置を提供する。ナビゲーションにおける自車マークの表示装置は、少なくとも測位システムのオン／オフ状態と、走行速度と、走行位置とを含むナビゲーション端末の現在の情報を取得する取得モジュールと、前記測位システムのオン／オフ状態がオンである場合、前記走行速度付きの自車マークを描画し、該自車マークを前記走行位置に表示し、前記走行速度が前記自車マークに描画される表示モジュールとを備える。
【０００７】
本発明の第３の態様として、端末を提供する。端末は、少なくとも一つのプロセッサと、少なくとも一つのプログラムを記憶する記憶装置とを備え、少なくとも一つの前記プログラムが少なくとも一つの前記プロセッサにより実行される場合に、少なくとも一つの前記プロセッサが、上記のいずれかに記載のナビゲーションにおける自車マークの表示方法を実行する。
【０００８】
本発明の第４の態様として、コンピュータプログラムが記憶されるコンピュータ読み取り可能な記憶媒体をさらに提供する。記録媒体は、プログラムがプロセッサにより実行される場合に、上記のいずれかに記載のナビゲーションにおける自車マークの表示方法を実行する。
【発明の効果】
【０００９】
本発明は、走行速度を自車マークに描画して、統合して表示することにより、一つの表示画像領域しか占有されず、走行速度が表示画像領域を占有することが回避されると同時に、走行速度の表示アイコンがその下方の地図要素を遮蔽しがちという課題を解決する。
【図面の簡単な説明】
【００１０】
【図１】従来技術における自車マーク及び走行速度の概略表示図である。
【図２】本発明の実施例１に係るナビゲーションにおける自車マークの表示方法のフローチャートである。
【図３】本発明の実施例１における走行速度付きの自車マークの概略構成図である。
【図４】本発明の実施例１における測位システム無し状態の自車マークの概略構成図である。
【図５】本発明の実施例２に係るナビゲーションにおける自車マークの表示方法のフローチャートである。
【図６】本発明の実施例２における（ａ）速度超過走行状態（ｂ）正常なナビゲーション状態の自車マークの概略構成図である。
【図７】本発明の実施例３におけるナビゲーションにおける自車マークの表示装置の概略構成図である。
【図８】本発明の実施例４に係る端末の概略構成図である。
【発明を実施するための形態】
【００１１】
以下、図面と実施例とを組み合わせて、本発明についてさらに詳しく説明する。なお、ここで説明される具体的な実施例は、単に本発明を解釈するためのものであり、本発明を限定するものではない。また、説明の便宜上、図面には、すべての構成ではなく、本発明に係る部分だけが示されている。
（実施例１）
【００１２】
図２は、本発明の実施例１に係るナビゲーションにおける自車マークの表示方法のフローチャートである。
本実施例は、ナビゲーション端末を携帯してナビゲーション経路に従って車を運転して走行する過程において、自車マークを表示する場合に適用することができる。本実施例に係る表示方法は、ナビゲーションにおける自車マークの表示装置により実行することができ、本実施例に係る表示装置は、ソフトウェア及び／又はハードウェアの方式により実現することができる。典型的には、表示装置は、ナビゲーション端末（例えば、ナビゲーション機能を有する携帯電話、車載ナビゲーションなど）であってもよい。図２に示されるように、本実施例に係るナビゲーションにおける自車マークの表示方法は、以下のステップＳ１１０とステップＳ１２０とを含む。
【００１３】
ステップＳ１１０：少なくとも測位システムのオン／オフ状態と、走行速度と、走行位置とを含むナビゲーション端末の現在の情報を取得する。
【００１４】
ここで、測位システムのオン／オフ状態とは、ナビゲーション端末の測位システムがオンになるかどうかの状態を指し、オン又はオフであってもよい。好ましくは、測位システムは、全地球測位システムであってもよいし、北斗衛星測位システムであってもよい。
【００１５】
走行速度は、ナビゲーション端末が所在する車両の現在走行速度を反映し、具体的には、時速５０キロであってもよい。
【００１６】
走行速度の決定方法は、異なる時刻間の走行距離と異なる時刻の時間差との比の値によって決定されてもよい。典型的には、第１の時刻のナビゲーション端末の第１の位置と、第２の時刻のナビゲーション端末の第２の位置とを取得し、二つの位置の座標により走行距離を決定し、又はナビゲーション経路における第１の位置と第２の位置との間の経路の長さを走行距離として決定し、第１の時刻と第２の時刻との間の時間差を決定し、決定された走行距離と時間差との比の値により、走行速度を決定する。
【００１７】
走行位置は、ナビゲーション端末が所在する車両の現在走行位置を反映し、具体的には、測位システムによりナビゲーション端末の位置を決定することができる。
【００１８】
ステップＳ１２０：前記測位システムのオン／オフ状態がオンである場合、走行速度付きの自車マークを描画し、自車マークを走行位置に表示し、走行速度が自車マークに描画される。
【００１９】
ここで、自車マークは、車両の走行位置を示すマークである。
【００２０】
好ましくは、走行速度は、自車マークの任意の位置に描画され、表示画像領域をできるだけ少なく占有すると同時に、走行速度を明確に表示することができる。
【００２１】
典型的には、走行速度付きの自車マークを描画する過程は、以下のように説明されてもよい。自車マークのベースモデルを予め設定し、ナビゲーション端末が所在する車両の方位、走行方向及び走行速度を取得し、図３に示されるように、車両の方位をベースモデルの方位編集領域３０１に標記し、車両の走行方向に基づいて、ベースモデルの所定の位置に方向マーク３０２を増加して、車両の走行方向を示し、走行速度をベースモデルの所定の速度編集領域３０３に記入する。
【００２２】
なお、本実施例は、車両の方位、走行方向及び走行速度に基づいて、ベースモデルを編集するステップの順番関係について限定しない。好ましくは、まず、走行速度をベースモデルに編集し、その後、走行方向をベースモデルに編集し、最後に、車両の方位をベースモデルに編集するようにしてもよいし、まず、車両の方位をベースモデルに編集し、その後、走行方向をベースモデルに編集し、最後に、走行速度をベースモデルに編集するようにしてもよい。また、他の実行順序もあるが、ここでは、詳しく説明しない。
【００２３】
本実施例においては、走行速度を自車マークに描画して、統合して表示することにより、一つの表示画像領域しか占有されず、走行速度が表示画像領域を占有することが回避される。同時に、走行速度の表示アイコンがその下方の地図要素を遮蔽しがちであるという課題を解決することができる。
【００２４】
また、表示画像領域を占有しないと同時に、測位システムのオフ状態についての情報を表示して、ユーザーの注意を喚起するために、少なくとも測位システムのオン／オフ状態と、走行速度と、走行位置とを含むナビゲーション端末の現在の情報を取得するステップの後に、測位システムのオン／オフ状態がオフである場合、自車マークの表示形態が測位システム無し状態であると決定するステップと、測位システム無し状態に基づいて、自車マークを描画し、自車マークを走行位置に表示するステップとをさらに含んでいてもよい。
【００２５】
ここで、測位システム無し状態は、実際のニーズに応じて定義することができる。
【００２６】
典型的には、図４に示されるように、自車マークの測位システム無し状態の表示形態は、灰色の走行速度無し方位無しの自車マークであってもよい。
【００２７】
また、表示画像領域を占有しないと同時に、車両の走行速度についての情報を表示して、ユーザーの注意を喚起するために、測位システムのオン／オフ状態がオンである場合、走行速度付きの自車マークを描画し、自車マークを走行位置に表示し、走行速度が自車マークに描画されるステップは、走行速度に基づいて、自車マークの表示形態を決定するステップと、表示形態に基づいて、走行速度付きの自車マークを描画し、自車マークを走行位置に表示し、走行速度が自車マークに描画されるステップとを含んでいてもよい。
【００２８】
好ましくは、走行速度を複数の範囲に分割することができ、範囲のそれぞれが自車マークの一つの表示形態に対応する。具体的な自車マークの表示形態は、実際のニーズに応じて決定することができる。
（実施例２）
【００２９】
図５は、本発明の実施例２に係るナビゲーションにおける自車マークの表示方法のフローチャートである。本実施例は、上記実施例１を基に、提出される選択可能な一案である。図５に示されるように、本実施例が提供するナビゲーションにおける自車マークの表示方法は、少なくとも測位システムのオン／オフ状態と、走行速度と、走行位置とを含むナビゲーション端末の現在の情報を取得するステップを含む。
【００３０】
測位システムのオン／オフ状態がオンであり、且つ、走行速度が設定された速度閾値よりも大きい場合、自車マークの表示形態が速度超過走行状態であると決定し、速度超過走行状態に基づいて、走行速度付きの自車マークを描画し、走行速度が前記自車マークに描画され、図６（ａ）に示されるように、自車マークを、設定されたアニメーションで走行位置に表示する。
【００３１】
測位システムのオン／オフ状態がオンであり、且つ、走行速度が設定された速度閾値以下である場合、自車マークの表示形態が正常なナビゲーション状態であると決定し、正常なナビゲーション状態に基づいて、走行速度付きの自車マークを描画し、走行速度が自車マークに描画され、図６（ｂ）に示されるように、自車マークを走行位置に表示する。
【００３２】
測位システムのオン／オフ状態がオフである場合、自車マークの表示形態が測位システム無し状態であると決定し、測位システム無し状態に基づいて、自車マークを描画し、自車マークを走行位置に表示する。
【００３３】
ここで、設定された速度閾値、正常なナビゲーション状態、速度超過走行状態及び設定されたアニメーションのそれぞれは、実際のニーズに応じて設定することができる。
【００３４】
好ましくは、自車マークを異なる形状に設定することにより、異なる表示形態を区別してもよいし、異なる色を設定することにより、異なる表示形態を区別してもよい。
【００３５】
典型的には、上記設定されたアニメーションは、呼吸のアニメーションであってもよい。正常なナビゲーション状態は、青に設定され、速度超過走行状態は、赤に設定される。
【００３６】
本実施例においては、走行速度が設定された速度閾値よりも大きい自車マークに対して、速度超過走行状態を表示し行い、走行速度が設定された速度閾値以下の自車マークに対して、正常なナビゲーション状態を表示する。これにより、ユーザーは、自車マークの異なる表示状態により、現在の車両速度が超過しているか否かを把握することができる。また、速度超過状態である場合、アニメーション効果で自車マークを表示することにより、さらに直観的にユーザーの注意を喚起し、注意喚起の効果を強化することができる。
【００３７】
なお、本実施例の技術的教示により、当業者には、上記実施例１および実施例２において説明されたいずれかの実施形態に対して一案の組み合わせを行って、走行速度付きの自車マークの表示を実現する動機付けがある。
（実施例３）
【００３８】
図７は、本発明の実施例３に係るナビゲーションにおける自車マークの表示装置の概略構成図である。図７に示されるように、本実施例におけるナビゲーションにおける自車マークの表示装置は、取得モジュール１０と、表示モジュール２０とを備える。
【００３９】
ここで、取得モジュール１０は、少なくとも測位システムのオン／オフ状態と、走行速度と、走行位置とを含むナビゲーション端末の現在の情報を取得する。
【００４０】
表示モジュール２０は、測位システムのオン／オフ状態がオンである場合、走行速度付きの自車マークを描画し、自車マークを走行位置に表示し、走行速度が自車マークに描画される。
【００４１】
本実施例においては、走行速度を自車マークに描画して、統合して表示することにより、一つの表示画像領域しか占有されず、走行速度が表示画像領域を占有することが回避される。同時に、走行速度の表示アイコンがその下方の地図要素を遮蔽しがちという課題が解決される。
【００４２】
さらに、表示モジュール２０は、表示決定ユニットと、表示ユニットとを備えていてもよい。
【００４３】
表示決定ユニットは、走行速度に基づいて、自車マークの表示形態を決定する。
【００４４】
表示ユニットは、表示形態に基づいて、走行速度付きの自車マークを描画し、自車マークを走行位置に表示し、走行速度が自車マークに描画される。
【００４５】
さらに、表示決定ユニットは、具体的に、走行速度が設定された速度閾値よりも大きい場合、自車マークの表示形態が速度超過走行状態であると決定し、走行速度が設定された速度閾値以下である場合、自車マークの表示形態が正常なナビゲーション状態であると決定する。
【００４６】
さらに、表示ユニットは、具体的に、表示形態が速度超過走行状態である場合、速度超過走行状態に基づいて、走行速度付きの自車マークを描画し、走行速度が自車マークに描画され、自車マークを、設定されたアニメーションで走行位置に表示する。
【００４７】
さらに、ナビゲーションにおける自車マークの表示装置は、測位システム無し決定モジュールと、測位システム無し表示モジュールとを備えていてよい。
【００４８】
ここで、測位システム無し決定モジュールは、少なくとも測位システムのオン／オフ状態と、走行速度と、走行位置とを含むナビゲーション端末の現在の情報を取得した後、測位システムのオン／オフ状態がオフである場合、自車マークの表示形態が測位システム無し状態であると決定し、測位システム無し表示モジュールは、測位システム無し状態に基づいて、自車マークを描画し、自車マークを走行位置に表示する。
（実施例４）
【００４９】
図８は、本発明の実施例４に係る端末の概略構成図である。図８は、本発明の実施形態を実現するのに適する例示的な端末１２のブロック図である。図８に示される端末１２は、単なる一例であり、本発明の実施例の機能及び使用範囲を一切制限しない。
【００５０】
図８に示されるように、端末１２は、汎用コンピューティングデバイスの形態で示される。端末１２のコンポーネントは、少なくとも一つのプロセッサ又は処理ユニット１６と、システムメモリ（記憶装置）２８と、異なるシステムコンポーネント（システムメモリ２８と処理ユニット１６とを含む）を接続するバス１８とを備えているが、これらに限定されない。
【００５１】
バス１８は、メモリバス又はメモリコントローラ、周辺バス、アクセラレーテッドグラフィックスポート、プロセッサ又は多様なバス構造のうち任意のバス構造を使用するローカルバスを含む、複数種のバス構造のうち一つ又は複数のものを表す。一例としては、これらのアーキテクチャは、インダストリスタンダードアーキテクチャ（ＩＳＡ）バス、マイクロチャネルアーキテクチャ（ＭＡＣ）バス、拡張ＩＳＡバス、ビデオエレクトロニクススタンダーズアソシエーション（ＶＥＳＡ）ローカルバス、及びペリフェラルコンポーネントインターコネクト（ＰＣＩ）バスを含むが、これらに限定されない。
【００５２】
端末１２は、典型的には、多種類のコンピュータシステム読み取り可能な媒体を含む。これらの媒体は、端末１２がアクセスすることができる任意の使用可能な媒体であってもよく、揮発性媒体及び不揮発性媒体、リムーバブル媒体及びノンリムーバブル媒体を含む。
【００５３】
システムメモリ２８は、ランダムアクセスメモリ（ＲＡＭ）３０及び／又はキャッシュメモリ３２などの揮発性メモリの形態のコンピュータシステム読み取り可能な媒体を含んでもよい。端末１２は、他のリムーバブル／ノンリムーバブル又は揮発性／不揮発性コンピュータシステム記憶媒体をさらに備えていてもよい。単なる一例として、ストレージシステム３４は、ノンリムーバブル又は不揮発性磁気媒体（図８に示されていないが、通常「ハードドライブ」と呼ぶ）に対して読み出し及び書き込みをするために用いることができる。図８には示されていないが、リムーバブル又は不揮発性磁気ディスク（例えば、「フロッピーディスク」）に対して読み出し及び書き込みをするための磁気ディスクドライブ、リムーバブル及び不揮発性光学ディスク（例えば、ＣＤ−ＲＯＭ、ＤＶＤ−ＲＯＭ又は他の光学媒体）に対して読み出し及び書き込みをするための光学ディスクドライブを提供することができる。この場合、各ドライブは、少なくとも一つのデータメディアインターフェイスを介してバス１８に接続することがきる。メモリ２８は、本発明の各実施例に記載の機能を実行するように構成されるワンセットのプログラムモジュール（例えば、少なくとも一つ）を有する少なくとも一つのプログラム製品を有していてもよい。
【００５４】
ワンセットのプログラムモジュール４２（少なくとも一つ）を有するプログラム／ユーティリティ４０は、例えば、メモリ２８に記憶されてもよく、このようなプログラムモジュール４２は、オペレーティングシステム、少なくとも一つのアプリケーションプログラム、他のプログラムモジュール及びプログラムデータを含むことができるがこれらに限定されない。これらの例のそれぞれ又は何らかの組み合わせには、ネットワーク環境の実装が含まれる可能性がある。プログラムモジュール４２は、一般的に本発明に記載の実施例における機能及び／又は方法を実行する。
【００５５】
端末１２は、少なくとも一つの外部デバイス１４（例えば、キーボード、ポインティング機器又はディスプレイ２４など）と通信することができるし、ユーザーが端末１２とインタラクションすることを可能にする少なくとも一つの機器と通信、及び／又は端末１２が少なくとも一つの他のコンピューティングデバイスと通信することを可能にする任意の機器（例えば、ネットワークカード又はモデムなど）と通信することができる。そのような通信は、入力／出力（Ｉ／Ｏ）インターフェイス２２を介して行うことができる。また、端末１２は、ネットワークアダプタ２１を介して、少なくとも一つのネットワーク（例えば、ローカルエリアネットワーク（ＬＡＮ）、ワイドエリアネットワーク（ＷＡＮ）、及び／又はパブリックネットワーク、例えば、インターネット）と通信することができる。図８に示されるように、ネットワークアダプタ２１は、バス１８を介して、端末１２の他のモジュールと通信する。なお、図示されていないが、マイクロコードやデバイスドライバ、冗長処理ユニット、外部ディスクドライブアレイ、ＲＡＩＤシステム、テープドライバ、及びデータバックアップトレージシステムなどを含むがこれらに限定されない他のハードウェア及び／又はソフトウェアモジュールを、端末１２と組み合わせて使用することができる。
【００５６】
処理ユニット１６は、システムメモリ２８に記憶されるプログラムを実行することにより、多様な機能アプリケーション及びデータ処理を実行し、例えば、本発明の実施例が提供するナビゲーションにおける自車マークの表示方法を実現する。
（実施例５）
【００５７】
本発明の実施例５は、コンピュータプログラが記憶されるコンピュータ読み取り可能な記憶媒体をさらに提供する。当該プログラムがプロセッサにより実行される場合、本発明の各実施例のいずれかに記載のナビゲーションにおける自車マークの表示方法を実行する。当該方法は、少なくとも測位システムのオン／オフ状態と、走行速度と、走行位置とを含むナビゲーション端末の現在の情報を取得するステップと、測位システムのオン／オフ状態がオンである場合、走行速度付きの自車マークを描画し、自車マークを走行位置に表示し、走行速度が自車マークに描画されるステップとを含む。
【００５８】
本発明の実施例に係るコンピュータ記憶媒体は、少なくとも一つのコンピュータ読み取り可能な媒体の任意の組み合わせを採用することができる。コンピュータ読み取り可能な媒体は、コンピュータ読み取り可能な信号媒体、或いはコンピュータ読み取り可能な記憶媒体であってもよい。コンピュータ読み取り可能な媒体は、例えば、電子、磁気、光、電磁気、赤外線、又は半導体のシステム、装置又はデバイス、或いは上記の任意の組み合わせであってもよいがこれらに限定されない。コンピュータ読み取り可能な記憶媒体のより具体的な一例（非網羅的なリスト）は、少なくとも一つの配線を備える電気接続部、ポータブルコンピュータディスク、ハードディスク、ランダムアクセスメモリ（ＲＡＭ）、読み出し専用メモリ（ＲＯＭ）、消去可能なプログラマブル読み出し専用メモリ（ＥＰＲＯＭ又はフラッシュメモリ）、光ファイバ、ポータブルコンパクトディスク読み出し専用メモリ（ＣＤ-ＲＯＭ）、光記憶装置、磁気記憶装置、又は上記の任意の適切な組み合わせを含む。本発明において、コンピュータ読み取り可能な記憶媒体は、命令実行システム、装置又はデバイスにより使用され、或いはそれらと組み合わせて使用されることが可能であるプログラムを含む又は記憶する任意の有形の媒体であってもよい。
【００５９】
コンピュータ読み取り可能な信号媒体は、ベースバンドにおける、又は搬送波の一部として伝播するデータ信号を含むことができ、その中にはコンピュータ読み取り可能なプログラムコードが搭載される。この伝播するデータ信号は様々な形式を採用することができ、電磁信号、光信号又は上記の任意の適切な組み合わせを含むがこれらに限定されない。コンピュータ読み取り可能な信号媒体は、さらに、コンピュータ読み取り可能な記憶媒体以外の任意のコンピュータ読み取り可能な媒体であってもよく、当該コンピュータ読み取り可能な媒体は、命令実行システム、装置又はデバイスにより使用され、或いはそれらと組み合わせて使用されるプログラムを送信、伝播又は伝送することができる。
【００６０】
コンピュータ読み取り可能な媒体に含まれるプログラムコードは、無線、有線、光ケーブル、ＲＦなど、又は上記の任意の適切な組み合わせを含むがこれらに限定されない任意の適切な媒体によって伝送することができる。
【００６１】
少なくとも一つのプログラミング言語又はそれらの組み合わせで本発明の動作を実行するためのコンピュータプログラムコードを作成することができ、プログラミング言語は、Ｊａｖａ（登録商標）、Ｓｍａｌｌｔａｌｋ、Ｃ＋＋などのプロジェクト指向のプログラミング言語を含み、さらに、「Ｃ」言語又は同様のプログラミング言語といった従来の手続き型プログラミング言語をも含む。プログラムコードは、完全にユーザーコンピュータで実行されてもよいし、部分的にユーザーコンピュータに実行されてもよいし、スタンドアロンソフトウェアパッケージとして実行されてもよいし、部分的にユーザーコンピュータで、部分的にリモートコンピュータで実行されてもよい、又は完全にリモートコンピュータ又はサーバーで実行してもよい。リモートコンピュータに係る場合、リモートコンピュータは、ローカルネットワーク（ＬＡＮ）又は広域ネットワーク（ＷＡＮ）を含む任意種類のインターネットを介して、ユーザーコンピュータに接続することができ、或いは、外部コンピュータ（例えば、インターネットサービスプロバイダを利用してインターネットを介して接続する）に接続することもできる。
【００６２】
なお、以上は、本発明の好ましい実施例及び運用される技術的原理に過ぎない。当業者は、本発明がここで記載される特定の実施例に限定されないことを理解することができる。当業者であれば、本発明の保護範囲を逸脱することはなく、種々の明らかな変化、新たな調整及び取り換えを行うことができる。したがって、上記実施例により本発明について比較的詳細に説明したが、本発明は、上記実施例のみに限定されず、本発明の構想を逸脱しない場合、より多くの他の効果同等な実施例をさらに含むことができ、本発明の範囲は、特許請求の範囲によって决定される。
【符号の説明】
【００６３】
１０  取得モジュール
１２  端末
２０  表示モジュール
２８  システムメモリ（記憶装置）
【図１】
2019152644.tif 000003
【図２】
2019152644.tif 000004
【図３】
2019152644.tif 000005
【図４】
2019152644.tif 000006
【図５】
2019152644.tif 000007
【図６】
2019152644.tif 000008
【図７】
2019152644.tif 000009
【図８】
2019152644.tif 000010